【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アクセスポイント（ＡＰ）において、アップリンク送信のために少なくとも１つの局（ＳＴＡ）をトリガするべきかどうかを決定することと、
前記少なくとも１つのＳＴＡをトリガするとの決定に応答してトリガフレームを生成すること、ここにおいて、前記トリガフレームは、前記少なくとも１つのＳＴＡに割り振られた１つまたは複数のリソースが、シングルユーザリソースユニット割振りであるのかマルチユーザリソースユニット割振りであるのかを識別し、前記トリガフレームは、前記ＳＴＡが前記ＡＰの送信電力および前記ＡＰの干渉レベルに少なくとも部分的に基づいて前記ＳＴＡの送信電力を計算することができる前記ＡＰの前記送信電力および前記ＡＰの前記干渉レベルをさらに識別する、と、
前記少なくとも１つのＳＴＡに前記トリガフレームを送信することと、
前記ＳＴＡの前記送信電力において１つまたは複数の非パンクチャドチャネル上でアップリンクパケットを受信することと
を備える、方法。
【請求項２】
前記少なくとも１つのＳＴＡに割り振られた前記１つまたは複数のリソースのうちの少なくとも１つが、前記シングルユーザリソースユニット割振りであるという前記決定に基づいて、前記ＡＰによって、マルチユーザ多入力多出力ロングトレーニングフィールドモード（ＭＩＭＯ  ＬＴＦモード）をシングルストリームパイロットに設定すること
をさらに備える、請求項１に記載の方法。
【請求項３】
前記少なくとも１つのＳＴＡに割り振られた前記１つまたは複数のリソースのいずれも、シングルユーザリソースユニット割振りでないと決定することに基づいて、前記ＡＰによって、マルチユーザ多入力多出力ロングトレーニングフィールド（ＭＩＭＯ  ＬＴＦ）を、マスキングされたＬＴＦシーケンスまたはシングルパイロットストリームに設定すること
をさらに備える、請求項１に記載の方法。
【請求項４】
前記トリガフレームの共通情報フィールド中の前記ＭＩＭＯ  ＬＴＦモードを識別すること
をさらに備える、請求項３に記載の方法。
【請求項５】
ワイヤレス通信のためのアクセスポイント（ＡＰ）であって、
トリガフレームを生成するための命令を記憶するように構成されたメモリと、
前記メモリと通信可能に結合されたプロセッサとを備え、前記プロセッサは、
前記ＡＰにおいて、アップリンク送信のために少なくとも１つの局（ＳＴＡ）をトリガするべきかどうかを決定することと、
前記少なくとも１つのＳＴＡをトリガするとの決定に応答して前記トリガフレームを生成すること、ここにおいて、前記トリガフレームは、前記少なくとも１つのＳＴＡに割り振られた１つまたは複数のリソースが、シングルユーザリソースユニット割振りであるのかマルチユーザリソースユニット割振りであるのかを識別し、前記トリガフレームは、前記ＳＴＡが前記ＡＰの送信電力および前記ＡＰの干渉レベルに少なくとも部分的に基づいて前記ＳＴＡの送信電力を計算することができる前記ＡＰの前記送信電力および前記ＡＰの前記干渉レベルをさらに識別する、
前記少なくとも１つのＳＴＡに前記トリガフレームを送信することと、
前記ＳＴＡの前記送信電力において１つまたは複数の非パンクチャドチャネル上でアップリンクパケットを受信することと
を行うために前記命令を実行するように構成された、
ＡＰ。
【請求項６】
前記プロセッサは、
前記少なくとも１つのＳＴＡに割り振られた前記１つまたは複数のリソースのうちの少なくとも１つが、前記シングルユーザリソースユニット割振りであるという前記決定に基づいて、前記ＡＰによって、マルチユーザ多入力多出力ロングトレーニングフィールドモード（ＭＩＭＯ  ＬＴＦモード）をシングルストリームパイロットに設定すること
を行うために前記命令を実行するようにさらに構成された、請求項５に記載のＡＰ。
【請求項７】
前記プロセッサが、
前記トリガフレームの前記共通情報フィールド中のマルチユーザ多入力多出力ロングトレーニングフィールドモード（ＭＩＭＯ  ＬＴＦモード）を識別すること
を行うために前記命令を実行するようにさらに構成された、請求項５に記載のＡＰ。
【請求項８】
ワイヤレス通信のための方法であって、
局（ＳＴＡ）において、アクセスポイント（ＡＰ）からトリガフレームを受信することと、
前記ＳＴＡに割り振られた１つまたは複数のリソースが、シングルユーザリソースユニット割振りであるのか、マルチユーザリソースユニット割振りであるのかを識別するために、前記トリガフレームを復号することと、
前記復号することに基づいて、前記ＡＰによって前記ＳＴＡに割り振られた前記１つまたは複数のリソース上で前記ＡＰと通信することと、
前記ＡＰの送信電力を決定することと、
前記ＡＰの干渉レベルを決定することと、
前記ＡＰの前記送信電力および前記ＡＰの前記干渉レベルに少なくとも部分的に基づいて前記ＳＴＡの送信電力を計算することと、  前記ＳＴＡの前記送信電力において１つまたは複数の非パンクチャドチャネル上で前記ＡＰにアップリンクパケットを送信することと
を備える、方法。
【請求項９】
前記トリガフレームを復号することが、
マルチユーザ多入力多出力ロングトレーニングフィールドモード（ＭＩＭＯ  ＬＴＦモード）を識別するために、前記トリガフレームの共通情報フィールドを復号することを備える、請求項８に記載の方法。
【請求項１０】
前記ＭＵ  ＭＩＭＯ  ＬＴＦモードは、少なくとも１つのＳＴＡに割り振られた前記１つまたは複数のリソースのうちの少なくとも１つが、前記シングルユーザリソースユニット割振りであるという前記決定に基づいて、シングルストリームパイロットとして示される、請求項９に記載の方法。
【請求項１１】
前記ＭＵ  ＭＩＭＯ  ＬＴＦモードは、前記少なくとも１つのＳＴＡに割り振られた前記１つまたは複数のリソースのいずれも、シングルユーザリソースユニット割振りでないと決定することに基づいて、マスキングされたＬＴＦシーケンスまたはシングルパイロットストリームとして示される、請求項９に記載の方法。
【請求項１２】
ワイヤレス通信のためのワイヤレス局（ＳＴＡ）であって、
トリガフレームを処理するための命令を記憶するように構成されたメモリと、
前記メモリと通信可能に結合されたプロセッサとを備え、前記プロセッサは、
前記ＳＴＡにおいて、アクセスポイント（ＡＰ）からトリガフレームを受信することと、
前記ＳＴＡに割り振られた１つまたは複数のリソースが、シングルユーザリソースユニット割振りであるのか、マルチユーザリソースユニット割振りであるのかを識別するために、前記トリガフレームを復号することと、
前記復号することに基づいて、前記ＡＰによって前記ＳＴＡに割り振られた前記１つまたは複数のリソース上で前記ＡＰと通信することと、
前記ＡＰの送信電力を決定することと、
前記ＡＰの干渉レベルを決定することと、
前記ＡＰの前記送信電力および前記ＡＰの前記干渉レベルに少なくとも部分的に基づいて前記ＳＴＡの送信電力を計算することと、  前記ＳＴＡの前記送信電力において１つまたは複数の非パンクチャドチャネル上で前記ＡＰにアップリンクパケットを送信することと
を行うために前記命令を実行するように構成された、
ＳＴＡ。
【請求項１３】
前記プロセッサが、
マルチユーザ多入力多出力ロングトレーニングフィールドモード（ＭＩＭＯ  ＬＴＦモード）を識別するために、前記トリガフレームの共通情報フィールドを復号することを行うために前記命令を実行するようにさらに構成された、請求項１２に記載のＳＴＡ。
【請求項１４】
前記ＭＵ  ＭＩＭＯ  ＬＴＦモードは、少なくとも１つのＳＴＡに割り振られた前記１つまたは複数のリソースのうちの少なくとも１つが、前記シングルユーザリソースユニット割振りであるという前記決定に基づいて、シングルストリームパイロットとして示される、請求項１３に記載のＳＴＡ。
【請求項１５】
実行されると、コンピュータに、請求項１乃至４、または８乃至１１のいずれか１項に従う方法を実行させる命令を備えるコンピュータプログラム製品。
【手続補正２】
【補正対象書類名】明細書
【補正対象項目名】０１１３
【補正方法】変更
【補正の内容】
【０１１３】
[00127]本開示についての以上の説明は、当業者が本開示を作成または使用することができるように与えられた。本開示への様々な変更は当業者には容易に明らかになり、本明細書で定義された共通原理は、本開示の趣旨または範囲から逸脱することなく他の変形形態に適用され得る。さらに、説明された態様および／または実施形態の要素は、単数形で説明または請求されていることがあるが、単数形への限定が明示的に述べられていない限り、複数形が企図される。さらに、任意の態様および／または実施形態の全部または一部は、別段に記載されていない限り、任意の他の態様および／または実施形態の全部または一部とともに利用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信のための方法であって、
アクセスポイント（ＡＰ）において、アップリンク送信のために少なくとも１つの局（ＳＴＡ）をトリガするべきかどうかを決定することと、
前記少なくとも１つのＳＴＡをトリガするとの決定に応答してトリガフレームを生成することと、ここにおいて、前記トリガフレームは、前記少なくとも１つのＳＴＡに割り振られた１つまたは複数のリソースが、シングルユーザリソースユニット割振りであるのかマルチユーザリソースユニット割振りであるのかを識別する、
前記少なくとも１つのＳＴＡに前記トリガフレームを送信することと
を備える、方法。
［Ｃ２］
前記少なくとも１つのＳＴＡに割り振られた前記１つまたは複数のリソースのうちの少なくとも１つが、シングルユーザリソースユニット割振りであるという決定に基づいて、前記ＡＰによって、マルチユーザ（ＭＵ）多入力多出力（ＭＩＭＯ）ロングトレーニングフィールド（ＬＴＦ）モードをシングルストリームパイロットに設定すること
をさらに備える、［Ｃ１］に記載の方法。
［Ｃ３］
前記少なくとも１つのＳＴＡに割り振られた前記１つまたは複数のリソースのいずれも、シングルユーザリソースユニット割振りでないと決定することに基づいて、前記ＡＰによって、マルチユーザ（ＭＵ）多入力多出力（ＭＩＭＯ）ロングトレーニングフィールド（ＬＴＦ）を、マスキングされたＬＴＦシーケンスまたはシングルパイロットストリームに設定すること
をさらに備える、［Ｃ１］に記載の方法。
［Ｃ４］
前記トリガフレームの共通情報フィールド中の前記ＭＩＭＯ  ＬＴＦモードを識別すること
をさらに備える、［Ｃ３］に記載の方法。
［Ｃ５］
前記トリガフレームが、アップリンク送信のための前記少なくとも１つのＳＴＡに割り振られた複数のランダムアクセスリソースユニットを識別するユーザごと情報フィールドをさらに含む、［Ｃ１］に記載の方法。
［Ｃ６］
前記少なくとも１つのＳＴＡに割り振られた１つまたは複数のリソースが、直交周波数分割多元接続（ＯＦＤＭＡ）バックオフ（ＯＢＯ）のためのものであると決定することと、
前記１つまたは複数のリソースを０の関連付け識別子（ＡＩＤ）値に割り振ることと、  前記トリガフレームの前記送信に応答して、前記少なくとも１つのＳＴＡから、固定基本サービスセット（ＢＳＳ）色情報をもつ高効率（ＨＥ）トリガ物理レイヤコンバージェンスプロシージャプロトコルデータユニット（ＨＥ＿Ｔｒｉｇ  ＰＰＤＵ）を受信することと
をさらに備える、［Ｃ１］に記載の方法。
［Ｃ７］
ワイヤレス通信のためのアクセスポイント（ＡＰ）であって、
トリガフレームを生成するための命令を記憶するように構成されたメモリと、
前記メモリと通信可能に結合されたプロセッサとを備え、前記プロセッサは、
前記ＡＰにおいて、アップリンク送信のために少なくとも１つの局（ＳＴＡ）をトリガするべきかどうかを決定することと、
前記少なくとも１つのＳＴＡをトリガするとの決定に応答して前記トリガフレームを生成することと、ここにおいて、前記トリガフレームは、前記少なくとも１つのＳＴＡに割り振られた１つまたは複数のリソースが、シングルユーザリソースユニット割振りであるのかマルチユーザリソースユニット割振りであるのかを識別する、
前記少なくとも１つのＳＴＡに前記トリガフレームを送信することと
を行うために前記命令を実行するように構成された、
ＡＰ。
［Ｃ８］
前記プロセッサは、
前記少なくとも１つのＳＴＡに割り振られた前記１つまたは複数のリソースのうちの少なくとも１つが、シングルユーザリソースユニット割振りであるという決定に基づいて、前記ＡＰによって、マルチユーザ（ＭＵ）多入力多出力（ＭＩＭＯ）ロングトレーニングフィールド（ＬＴＦ）モードをシングルストリームパイロットに設定すること
を行うために前記命令を実行するようにさらに構成された、［Ｃ７］に記載のＡＰ。
［Ｃ９］
前記プロセッサは、
前記少なくとも１つのＳＴＡに割り振られた前記１つまたは複数のリソースのいずれも、シングルユーザリソースユニット割振りでないと決定することに基づいて、前記ＡＰによって、マルチユーザ（ＭＵ）多入力多出力（ＭＩＭＯ）ロングトレーニングフィールド（ＬＴＦ）を、マスキングされたＬＴＦシーケンスまたはシングルパイロットストリームに設定すること
を行うために前記命令を実行するようにさらに構成された、［Ｃ７］に記載のＡＰ。
［Ｃ１０］
前記プロセッサが、
前記トリガフレームの共通情報フィールド中の前記ＭＩＭＯ  ＬＴＦモードを識別すること
を行うために前記命令を実行するようにさらに構成された、［Ｃ９］に記載のＡＰ。
［Ｃ１１］
前記トリガフレームが、アップリンク送信のための前記少なくとも１つのＳＴＡに割り振られた複数のランダムアクセスリソースユニットを識別するユーザごと情報フィールドをさらに含む、［Ｃ７］に記載のＡＰ。
［Ｃ１２］
前記プロセッサは、
前記少なくとも１つのＳＴＡに割り振られた１つまたは複数のリソースが、直交周波数分割多元接続（ＯＦＤＭＡ）バックオフ（ＯＢＯ）のためのものであると決定することと、
前記１つまたは複数のリソースを０の関連付け識別子（ＡＩＤ）値に割り振ることと、  前記トリガフレームの前記送信に応答して、前記少なくとも１つのＳＴＡから、固定基本サービスセット（ＢＳＳ）色情報をもつ高効率（ＨＥ）トリガ物理レイヤコンバージェンスプロシージャプロトコルデータユニット（ＨＥ＿Ｔｒｉｇ  ＰＰＤＵ）を受信することと
を行うために前記命令を実行するようにさらに構成された、［Ｃ７］に記載のＡＰ。
［Ｃ１３］
ワイヤレス通信のための方法であって、
局（ＳＴＡ）において、アクセスポイント（ＡＰ）からトリガフレームを受信することと、ここにおいて、前記トリガフレームが、ユーザごと情報フィールドを含む、
前記ＳＴＡに割り振られた１つまたは複数のリソースが、シングルユーザリソースユニット割振りであるのか、マルチユーザリソースユニット割振りであるのかを識別するために、前記トリガフレームの前記ユーザごと情報フィールドを復号することと、
前記復号することに基づいて、前記ＡＰによって前記ＳＴＡに割り振られた前記１つまたは複数のリソース上で前記ＡＰと通信することと
を備える、方法。
［Ｃ１４］
前記トリガフレームを復号することが、
マルチユーザ（ＭＵ）多入力多出力（ＭＩＭＯ）ロングトレーニングフィールド（ＬＴＦ）モードを識別するために、前記トリガフレームの共通情報フィールドを復号することを備える、［Ｃ１３］に記載の方法。
［Ｃ１５］
前記ＭＵ  ＭＩＭＯ  ＬＴＦモードは、少なくとも１つのＳＴＡに割り振られた前記１つまたは複数のリソースのうちの少なくとも１つが、シングルユーザリソースユニット割振りであるという決定に基づいて、シングルストリームパイロットとして示される、［Ｃ１４］に記載の方法。
［Ｃ１６］
前記ＭＵ  ＭＩＭＯ  ＬＴＦモードは、前記少なくとも１つのＳＴＡに割り振られた前記１つまたは複数のリソースのいずれも、シングルユーザリソースユニット割振りでないと決定することに基づいて、マスキングされたＬＴＦシーケンスまたはシングルパイロットストリームとして示される、［Ｃ１４］に記載の方法。
［Ｃ１７］
前記トリガフレームを復号することは、
前記ＳＴＡに割り振られた前記１つまたは複数のリソースが、前記シングルユーザリソースユニット割振りであるのか、前記マルチユーザリソースユニット割振りであるのかをシグナリングするための、前記トリガフレームの前記ユーザごと情報フィールド中のリソースユニット割振りサブフィールドのビット値を復号すること
を備える、［Ｃ１３］に記載の方法。
［Ｃ１８］
前記トリガフレームを復号することは、
割り振られた前記１つまたは複数のリソースが、前記シングルユーザリソースユニット割振りを含むのか、前記マルチユーザリソースユニット割振りを含むのかを示す、前記トリガフレームの前記ユーザごと情報フィールドへの追加の構成可能なビットを復号すること
を備える、［Ｃ１３］に記載の方法。
［Ｃ１９］
前記トリガフレームの共通情報フィールドの少なくとも一部分を識別することと、
前記ＡＰによって１つまたは複数のパンクチャドチャネルを識別するために前記共通情報フィールドの前記少なくとも前記一部分を復号することと
をさらに備える、［Ｃ１３］に記載の方法。
［Ｃ２０］
空間再利用送信が可能にされないかどうかを識別するために、前記共通情報フィールドの前記少なくとも前記一部分の空間再利用サブフィールドの一部分を復号すること
をさらに備える、［Ｃ１９］に記載の方法。
［Ｃ２１］
前記ＡＰの送信電力を決定することと、
前記ＡＰの干渉レベルを決定することと、
前記ＡＰの前記送信電力と前記ＡＰの前記干渉レベルとに少なくとも部分的に基づいて、前記ＳＴＡの送信電力を計算することと、
前記ＳＴＡの前記送信電力において１つまたは複数の非パンクチャドチャネル上で前記ＡＰにアップリンクパケットを送信することと
をさらに備える、［Ｃ１９］に記載の方法。
［Ｃ２２］
前記ＳＴＡの前記送信電力が、前記トリガフレームのダウンリンク経路損失測定値に少なくとも部分的に基づいて決定される、［Ｃ２１］に記載の方法。
［Ｃ２３］
前記ＡＰの前記干渉レベルが、前記トリガフレームの少なくとも一部分の復号に基づいて決定される、［Ｃ２１］に記載の方法。
［Ｃ２４］
ワイヤレス通信のためのワイヤレス局（ＳＴＡ）であって、
トリガフレームを処理するための命令を記憶するように構成されたメモリと、
前記メモリと通信可能に結合されたプロセッサとを備え、前記プロセッサは、
前記ＳＴＡにおいて、アクセスポイント（ＡＰ）からトリガフレームを受信することと、ここにおいて、前記トリガフレームが、ユーザごと情報フィールドを含む、
前記ＳＴＡに割り振られた１つまたは複数のリソースが、シングルユーザリソースユニット割振りであるのか、マルチユーザリソースユニット割振りであるのかを識別するために、前記トリガフレームの前記ユーザごと情報フィールドを復号することと、
前記復号することに基づいて、前記ＡＰによって前記ＳＴＡに割り振られた前記１つまたは複数のリソース上で前記ＡＰと通信することと
を行うために前記命令を実行するように構成された、
ＳＴＡ。
［Ｃ２５］
前記プロセッサが、
マルチユーザ（ＭＵ）多入力多出力（ＭＩＭＯ）ロングトレーニングフィールド（ＬＴＦ）モードを識別するために、前記トリガフレームの共通情報フィールドを復号することを行うために前記命令を実行するようにさらに構成された、［Ｃ２４］に記載のＳＴＡ。
［Ｃ２６］
前記ＭＵ  ＭＩＭＯ  ＬＴＦモードは、少なくとも１つのＳＴＡに割り振られた前記１つまたは複数のリソースのうちの少なくとも１つが、シングルユーザリソースユニット割振りであるという決定に基づいて、シングルストリームパイロットとして示される、［Ｃ２４］に記載のＳＴＡ。
［Ｃ２７］
前記ＭＵ  ＭＩＭＯ  ＬＴＦモードは、前記少なくとも１つのＳＴＡに割り振られた前記１つまたは複数のリソースのいずれも、シングルユーザリソースユニット割振りでないと決定することに基づいて、マスキングされたＬＴＦシーケンスまたはシングルパイロットストリームとして示される、［Ｃ２４］に記載のＳＴＡ。
［Ｃ２８］
前記プロセッサは、
前記ＳＴＡに割り振られた前記１つまたは複数のリソースが、前記シングルユーザリソースユニット割振りであるのか、前記マルチユーザリソースユニット割振りであるのかをシグナリングするための、前記トリガフレームの前記ユーザごと情報フィールド中のリソースユニット割振りサブフィールドのビット値を復号すること
を行うために前記命令を実行するようにさらに構成された、［Ｃ２４］に記載のＳＴＡ。
［Ｃ２９］
前記プロセッサは、
割り振られた前記１つまたは複数のリソースが、前記シングルユーザリソースユニット割振りを含むのか、前記マルチユーザリソースユニット割振りを含むのかを示す、前記トリガフレームの前記ユーザごと情報フィールドへの追加の構成可能なビットを復号すること
を行うために前記命令を実行するようにさらに構成された、［Ｃ２４］に記載のＳＴＡ。
［Ｃ３０］
前記プロセッサが、
前記ＡＰの送信電力を決定することと、
前記ＡＰの干渉レベルを決定することと、
前記ＡＰの前記送信電力と前記ＡＰの前記干渉レベルとに少なくとも部分的に基づいて、前記ＳＴＡの送信電力を計算することと、
前記ＳＴＡの前記送信電力において１つまたは複数の非パンクチャドチャネル上で前記ＡＰにアップリンクパケットを送信することと
を行うために前記命令を実行するようにさらに構成された、［Ｃ２４］に記載のＳＴＡ。
［Ｃ３１］
ワイヤレス通信のための方法であって、
局（ＳＴＡ）において、第１のアクセスポイント（ＡＰ）からトリガフレームを受信することと、
前記第１のＡＰの送信電力または前記第１のＡＰの許容干渉レベルのうちの１つまたは複数を識別するために、前記トリガフレーム中の少なくとも空間再利用サブフィールドを復号することと、
前記第１のＡＰの前記送信電力または前記第１のＡＰの前記干渉レベルに少なくとも部分的に基づいて、前記ＳＴＡの送信電力を計算することと
を備える、方法。
［Ｃ３２］
前記ＳＴＡの前記送信電力において１つまたは複数のパンクチャドチャネル上で第２のＡＰにアップリンクパケットを送信すること
をさらに備える、［Ｃ３１］に記載の方法。
［Ｃ３３］
前記トリガフレームを復号することは、
空間再利用送信が可能にされないかどうかを識別するために、共通情報フィールドの少なくとも一部分の前記空間再利用サブフィールドの一部分を復号すること
を備える、［Ｃ３１］に記載の方法。
［Ｃ３４］
前記空間再利用サブフィールドが、前記トリガフレームの共通情報フィールド中に含まれる、［Ｃ３１］に記載の方法。
［Ｃ３５］
前記トリガフレームが、利用可能帯域幅を識別する帯域幅フィールドと、空間再利用送信のために前記利用可能帯域幅からサブバンドを識別する空間再利用ビットのセットとを含む、［Ｃ３１］に記載の方法。
［Ｃ３６］
前記トリガフレームの少なくとも前記空間ｒｅｓｕｓｅサブフィールドを復号することに基づいて、前記ＳＴＡへの未使用チャネルを識別すること
をさらに備える、［Ｃ３１］に記載の方法。
［Ｃ３７］
ワイヤレス通信のためのワイヤレス局（ＳＴＡ）であって、
前記ＳＴＡの送信電力を制御するための命令を記憶するように構成されたメモリと、  前記メモリと通信可能に結合されたプロセッサとを備え、前記プロセッサが、
局（ＳＴＡ）において、第１のアクセスポイント（ＡＰ）からトリガフレームを受信することと、
前記第１のＡＰの送信電力または前記第１のＡＰの許容干渉レベルのうちの１つまたは複数を識別するために、前記トリガフレーム中の少なくとも空間再利用サブフィールドを復号することと、
前記第１のＡＰの前記送信電力または前記第１のＡＰの前記干渉レベルに少なくとも部分的に基づいて、前記ＳＴＡの送信電力を計算することと
を行うために前記命令を実行するように構成された、
ＳＴＡ。
［Ｃ３８］
前記プロセッサが、
前記ＳＴＡの前記送信電力において１つまたは複数のパンクチャドチャネル上で第２のＡＰにアップリンクパケットを送信すること
を行うために前記命令を実行するようにさらに構成された、［Ｃ３７］に記載のＳＴＡ。
［Ｃ３９］
前記プロセッサは、
空間再利用送信が可能にされないかどうかを識別するために、共通情報フィールドの少なくとも一部分の前記空間再利用サブフィールドの一部分を復号すること
を行うために前記命令を実行するようにさらに構成された、［Ｃ３７］に記載のＳＴＡ。
［Ｃ４０］
前記空間再利用サブフィールドが、前記トリガフレームの共通情報フィールド中に含まれる、［Ｃ３７］に記載のＳＴＡ。
［Ｃ４１］
前記トリガフレームが、利用可能帯域幅を識別する帯域幅フィールドと、空間再利用送信のために前記利用可能帯域幅からサブバンドを識別する空間再利用ビットのセットとを含む、［Ｃ３７］に記載のＳＴＡ。
［Ｃ４２］
前記プロセッサが、
前記トリガフレームの少なくとも前記空間ｒｅｓｕｓｅサブフィールドを復号することに基づいて、前記ＳＴＡへの未使用チャネルを識別すること
を行うために前記命令を実行するようにさらに構成された、［Ｃ４１］に記載のＳＴＡ。
［Ｃ４３］
前記第１のＡＰの前記許容干渉レベルが、非パンクチャドチャネル上でよりもパンクチャドチャネル上でより高い、［Ｃ３７］に記載のＳＴＡ。
［Ｃ４４］
前記空間再利用サブフィールドは、高干渉が、前記非パンクチャドチャネルよりもパンクチャドチャネル上で前記第１のＡＰによって容認され得ることを示すように設定される、［Ｃ３７］に記載のＳＴＡ。
［Ｃ４５］
前記空間再利用サブフィールドが、前記トリガフレームの共通情報フィールド中に含まれ中、［Ｃ３７］に記載のＳＴＡ
［Ｃ４６］
ワイヤレス通信のための装置であって、
局（ＳＴＡ）において、第１のアクセスポイント（ＡＰ）からトリガフレームを受信するための手段と、
前記第１のＡＰの送信電力または前記第１のＡＰの許容干渉レベルのうちの１つまたは複数を識別するために、前記トリガフレーム中の少なくとも空間再利用サブフィールドを復号するための手段と、
前記第１のＡＰの前記送信電力または前記第１のＡＰの前記干渉レベルに少なくとも部分的に基づいて、前記ＳＴＡの送信電力を計算するための手段と
を備える、装置。
［Ｃ４７］
前記ＳＴＡの前記送信電力において１つまたは複数のパンクチャドチャネル上で第２のＡＰにアップリンクパケットを送信するための手段
をさらに備える、［Ｃ４６］に記載の装置。
［Ｃ４８］
前記空間再利用サブフィールドが、前記トリガフレームの共通情報フィールド中に含まれる、［Ｃ４６］に記載の装置。
［Ｃ４９］
前記トリガフレームが、利用可能帯域幅を識別する帯域幅フィールドと、空間再利用送信のために前記利用可能帯域幅からサブバンドを識別する空間再利用ビットのセットとを含む、［Ｃ４６］に記載の装置。
［Ｃ５０］
前記トリガフレームの少なくとも前記空間ｒｅｓｕｓｅサブフィールドを復号することに基づいて、前記ＳＴＡへの未使用チャネルを識別するための手段
をさらに備える、［Ｃ４６］に記載の装置。